(57)【特許請求の範囲】
【請求項１】
断面Ｕ字状のパネル差込用凹溝（２）を形成する一対の第１挟持片部（１１）・第２挟持片部（１２）と底壁部（１３）とを有し、上記第１挟持片部（１１）の先端縁を上記第２挟持片部（１２）から離れる方向に直角に折曲げた長脚片部（４）を連設し、かつ、該長脚片部（４）と平行状として上記底壁部（１３）を上記第１挟持片部（１１）の基端縁を越えて延設した短脚片部（６）を形成し、上記長脚片部（４）と上記短脚片部（６）の先端に係止凸部（４ａ）（６ａ）を突設したパネル縁材（３）と、
該パネル縁材（３）の上記凹溝（２）に差込んで取着されるパネル（８）と、
横断面に於て、隣り合う２辺（１Ａ）（１Ａ）の中央部に凹設された蟻溝（９）（９）を有するフレーム（１）と、を具備し、
上記フレーム（１）の上記蟻溝（９）（９）の開口内端部（９ａ）（９ａ）に、上記パネル縁材（３）の上記短脚片部（６）と上記長脚片部（４）を、上記短脚片部（６）と上記長脚片部（４）の弾性変形によって押込み状に係止したことを特徴とするパネル取付構造体。
【請求項２】
横断面視で隣り合う２辺（１Ａ）（１Ａ）の中央部に凹設された蟻溝（９）（９）を有する型材から成るフレーム（１）を組立てて構造枠体（１０）を構築し、
その後、パネル（８）の４辺に取着されるパネル縁材（３）（３）（３）（３）の内の１本を、まず、上記構造枠体（１０）の開口部の１辺を成す上記フレーム（１）の上記蟻溝（９）に係止状に取着し、
次に、上記パネル（８）の３辺に予め上記パネル縁材（３）（３）（３）を取着したパネルユニット（１８）を、上記フレーム（１）の上記蟻溝（９）に取着した上記パネル縁材（３）のパネル差込用凹溝（２）に差込み、
上記パネルユニット（１８）の３辺の上記パネル縁材（３）（３）（３）を、上記構造枠体（１０）の開口部の残り３辺の上記フレーム（１）の上記蟻溝（９）に係止状に取着することを特徴とする構造物組立方法。
【発明の詳細な説明】
【技術分野】
【０００１】
本発明は、パネル取付構造体及び構造物組立方法に関する。
【背景技術】
【０００２】
従来、クリーンルームやサニタリールームを設置する際、外部から閉塞された清浄な空間を確保するために、型材（フレーム）と板材（パネル）によって構成した外面包囲壁状の構造物を設けることが行われている。構造物を構成する型材（フレーム）に板材（パネル）を取付けるパネル取付手段としては、板材（パネル）の端縁部を嵌め込んで取着する板材保持部材が用いられている（特許文献１参照）。
【先行技術文献】
【特許文献】
【０００３】
【特許文献１】特開２００３−５６２５５号公報
【発明の概要】
【発明が解決しようとする課題】
【０００４】
しかし、特許文献１記載の板材保持部材は、フレームの蟻溝に差込まれる係止片を有する雌部材と、雌部材に付設することでパネル挟持用凹溝を形成する雄部材との２部品から構成され、取付に係る作業工程が煩雑となり、作業時間が長くかかるという欠点があった。また、小さな雄部材を雌部材とフレームの間に挿入してパネルを挟み込むように取着するのが面倒であった。しかも、雌部材と雄部材の２部品を合成樹脂によって別々に成形する為、製造コストが増大し、高価になるという問題があった。
【０００５】
そこで、本発明は、パネルの取付けが簡単かつ迅速に行え、かつ、安価なパネル取付構造体を提供することを目的とする。
【課題を解決するための手段】
【０００６】
本発明に係るパネル取付構造体は、断面Ｕ字状のパネル差込用凹溝を形成する一対の第１挟持片部・第２挟持片部と底壁部とを有し、上記第１挟持片部の先端縁を上記第２挟持片部から離れる方向に直角に折曲げた長脚片部を連設し、かつ、該長脚片部と平行状として上記底壁部を上記第１挟持片部の基端縁を越えて延設した短脚片部を形成し、上記長脚片部と上記短脚片部の先端に係止凸部を突設したパネル縁材と、該パネル縁材の上記凹溝に差込んで取着されるパネルと、横断面に於て、隣り合う２辺の中央部に凹設された蟻溝を有するフレームと、を具備し、上記フレームの上記蟻溝の開口内端部に、上記パネル縁材の上記短脚片部と上記長脚片部を、上記短脚片部と上記長脚片部の弾性変形によって押込み状に係止したものである。
【０００７】
また、本発明に係る構造物組立方法は、横断面視で隣り合う２辺の中央部に凹設された蟻溝を有する型材から成るフレームを組立てて構造枠体を構築し、その後、パネルの４辺に取着されるパネル縁材の内の１本を、まず、上記構造枠体の開口部の１辺を成す上記フレームの上記蟻溝に係止状に取着し、次に、上記パネルの３辺に予め上記パネル縁材を取着したパネルユニットを、上記フレームの上記蟻溝に取着した上記パネル縁材のパネル差込用凹溝に差込み、上記パネルユニットの３辺の上記パネル縁材を、上記構造枠体の開口部の残り３辺の上記フレームの上記蟻溝に係止状に取着する方法である。
【発明の効果】
【０００８】
本発明のパネル取付構造体及び構造物組立方法によれば、フレームの組立てを先に行ってから、パネルを正面側又は裏面側から簡単に取着できる。フレームの蟻溝に係止片部を差し込んで連結するフレーム連結具を用いた場合であっても、パネルの角部を加工することなく、容易に取着できる。
【図面の簡単な説明】
【０００９】
【図１】パネル縁材の実施の一形態を示した横断面図である。
【図２】本発明のパネル取付構造体を示した断面平面図である。
【図３】本発明のパネル取付構造体を示した断面側面図である。
【図４】本発明の構造物組立方法の構造枠体構築工程を示す正面図である。
【図５】本発明の構造物組立方法の第１パネル縁材取着工程を示す正面図である。
【図６】第１パネル縁材取着工程の説明用端面図である。
【図７】本発明の構造物組立方法のパネルユニット差込工程を示す正面図である。
【図８】図７のＡ−Ａ端面図である。
【図９】本発明の構造物組立方法の第２パネル縁材取着工程を示す正面図である。
【図１０】図９のＢ−Ｂ端面図であって、パネル縁材を取着する直前の状態を示す端面図である。
【図１１】図９のＢ−Ｂ端面図であって、パネル縁材を取着した後の状態を示す端面図である。
【図１２】第２パネル縁材取着工程の説明用端面図である。
【発明を実施するための形態】
【００１０】
以下、実施の形態を示す図面に基づき本発明を詳説する。
パネル縁材は、クリーンルームや温室、サニタリールーム等の外面包囲壁用パネル、あるいは、間仕切り用パネル、クリーンベンチ用パネルを、構造枠体に取付けるのに用いられ、図１に示すように、断面Ｕ字状のパネル差込用凹溝２を形成する一対の第１挟持片部１１・第２挟持片部１２と底壁部１３とを有し、第１挟持片部１１の先端縁を第２挟持片部１２から離れる方向に直角に折曲げた長脚片部４を連設し、かつ、長脚片部４と平行状として底壁部１３を第１挟持片部１１の基端縁を越えて延設した短脚片部６を形成している。さらに、長脚片部４と短脚片部６の先端には、係止凸部４ａ，６ａが突設されている。
【００１１】
図２は、コーナー等を形成するように、隣り合うパネル８，８を直交面状としてフレーム１に取着した状態を示し、図３は、隣り合うパネル８，８を同一平面状となるようにフレーム１に取着した状態を示している。
図２と図３に示すように、本発明は、前記パネル縁材３，３と、パネル縁材３の凹溝２に差込んで取着されるパネル８，８と、横断面に於て隣り合う２辺１Ａ，１Ａの中央部に凹設された蟻溝９，９を有するフレーム１と、を具備するパネル取付構造体であって、フレーム１の蟻溝９，９の開口内端部９ａ，９ａに、パネル縁材３の短脚片部６と長脚片部４を押込み状に係止させて取着するものである。パネル縁材３の短脚片部６と長脚片部４は、フレーム１の蟻溝９，９の開口内端部９ａ，９ａに、短脚片部６と長脚片部４の両者間寸法を弾性変形によって拡開させつつ押し込まれ、蟻溝９，９の角部に係止凸部４ａ，６ａを係止させて取着されている。
パネル縁材３は、断面形状が長手方向にわたって同一形状に形成された定尺体であって、弾性変形可能な合成樹脂、例えば、硬質塩化ビニルから成る。
フレーム１は、押出成型によって形成されるアルミニウム又はアルミニウム合金等の型材から成る。フレーム１は、各側面（各辺１Ａ）の中央部に長手方向の蟻溝９を有し、この蟻溝９は、開口内端部９ａ，９ａが互いに接近し合うように内側に突出しており、横断面Ｔ字状に形成されている。
パネル８は、合成樹脂製又はガラス板製、もしくは、鋼板製であって良く、好ましくは、例えば、ＰＭＭＡ（ポリメタクリル酸メチル）やＰＶＣ（塩化ビニル）、あるいは、ポリエチレンテレフタレート共重合体から成る透明乃至半透明の板材から成る。
【００１２】
図１に示すパネル縁材３には、第１挟持片部１１と長脚片部４の断面Ｌ字状連結部１４の近傍に、第１挟持片部１１の内側面から第２挟持片部１２に向けて突出する小突起１５が形成されている。また、第１挟持片部１１の基端縁近傍には、短脚片部６の突出する方向に小凸部１６が形成されている。第１挟持片部１１は、先端縁と基端縁の中間位置に段付部１１ａを有し、この段付部１１ａの裏側に突隆部１１ｂが形成されている。底壁部１３は、第２挟持片部１２の基端縁との連結部近傍に、第２挟持片部１２と逆方向に突出する断面矩形状凸部１７を有している。長脚片部４は、断面Ｌ字状連結部１４の近傍に、短脚片部６側に突出する低突起１９を有している。長脚片部４の先端に設けられた係止凸部４ａは、先端側に向けて次第に縮径する傾斜面を有し、かつ、基端側に長脚片部４の長手方向に対し直交面状の係止面を有する台形状断面に形成されている。短脚片部６の係止凸部６ａは、先端近傍が山状に折曲げられて三角形状に形成されている。
これらの構成によって、短脚片部６と長脚片部４をフレーム１の蟻溝９，９の開口内端部９ａ，９ａに確実に係止させて、フレーム１に対しパネル縁材３を嵌着することが可能となり、なおかつ、パネル縁材３の凹溝２にパネル８の端縁部を差し込んで保持させることができる。パネル縁材３とフレーム１のガタつきを防止する利点がある。
【００１３】
次に、上述したパネル縁材及びパネル取付構造体の使用方法（作用）、並びに、本発明の構造物組立方法について説明する。
図４に示すように、隣り合う２側面に蟻溝９を有する型材から成るフレーム１を組立てて、構造枠体１０を構築する。この際、Ｌ字状又はＴ字状に配設されたフレーム１，１の各内角部に、三角形状のフレーム連結具２０を取着し、フレーム１，１を相互に連結する。フレーム連結具２０は、蟻溝９に差込む係止片部２１，２１を有し、保持手段２２によって蟻溝９と係止片部２１，２１の係止状態を保持する。
【００１４】
その後、図５に示すように、パネル縁材３を１本、まず、構造枠体１０の開口部の下辺を成すフレーム１の蟻溝９に取着する。なお、パネル縁材３の両端部に於て、フレーム連結具２０，２０との干渉を回避する為に、予め長脚片部４が切欠かれている（図示省略）。
フレーム１の蟻溝９にパネル縁材３を取着する際、図６（Ａ）に示すように、パネル差込用凹溝２が上方に開口するようにパネル縁材３を保持し、フレーム１に正面側（矢印Ｆ方向）からパネル縁材３を押し付けて、図６（Ｂ）のように、フレーム１の側面、あるいは、蟻溝９，９の開口内端部９ａ，９ａに、短脚片部６と長脚片部４を摺接しつつ両者間寸法を弾性変形によって拡開させる。さらに、パネル縁材３を押し込んで、図６（Ｃ）のように、短脚片部６と長脚片部４の係止凸部６ａ，４ａを蟻溝９，９の角部に引っ掛けて、パネル縁材３を蟻溝９，９の開口内端部９ａ，９ａに係止させて取着する。
【００１５】
次に、図７と図８に示すように、パネル８の上端縁部及び両側端縁部をパネル縁材３，３，３に差し込んで取着したパネルユニット１８を形成し、フレーム１の蟻溝９に取着したパネル縁材３のパネル差込用凹溝２に、パネル８の下端縁部８ａを上から差込んで、パネルユニット１８を斜めに傾いた状態のまま構造枠体１０の開口部の正面側に配設する。
その後、図９に示すように、パネルユニット１８の３辺のパネル縁材３，３，３を、構造枠体１０の開口部の残り３辺（上辺及び両側辺）のフレーム１の蟻溝９に係止状に取着する。この際、図１０から図１１に示すように、上辺のフレーム１に対し、正面側方向Ｆからパネル縁材３を押し付けて、パネル縁材３を短脚片部６と長脚片部４の弾性変形によって押込み状に係止する。より詳細に説明すると、図１２（Ａ）に示すように、凹溝２にパネル８が差し込まれたパネル縁材３を、フレーム１に正面側方向Ｆから押し付けて、図１２（Ｂ）のように、フレーム１の側面、あるいは、蟻溝９，９の開口内端部９ａ，９ａに、短脚片部６と長脚片部４を摺接しつつ両者間寸法を弾性変形によって拡開させる。さらに、パネル縁材３を押し込んで、図１２（Ｃ）のように、短脚片部６と長脚片部４の係止凸部６ａ，４ａを蟻溝９，９の角部に引っ掛けて、パネル縁材３を蟻溝９，９の開口内端部９ａ，９ａに係止させて取着する。なお、図９のように、パネル８は、４本のパネル縁材３，３，３，３によって、構造枠体１０の開口部の正面側枠外にて保持される為、フレーム１，１の内角部に取着されるフレーム連結具２０と干渉することがなく、パネル８の角部を切欠く等の加工をしなくて済む。
【００１６】
なお、本発明は、設計変更可能であって、例えば、フレーム１を組立てて構築した構造枠体１０に対し、裏側からパネル縁材３及びパネル８を取付けることも可能である。また、第１に、１本のパネル縁材３を、構造枠体１０の開口部の左右一方のフレーム１の蟻溝９に取着してから、パネルユニット１８を取付けても良く、順序を変えても取付けできる。
【００１７】
以上のように、パネル縁材は、パネル８の端縁部を差込む断面Ｕ字状のパネル差込用凹溝２を形成する一対の第１挟持片部１１・第２挟持片部１２と底壁部１３とを有し、第１挟持片部１１の先端縁を第２挟持片部１２から離れる方向に直角に折曲げた長脚片部４を連設し、かつ、長脚片部４と平行状として底壁部１３を第１挟持片部１１の基端縁を越えて延設した短脚片部６を形成し、さらに、長脚片部４と短脚片部６の先端には、係止凸部４ａ，６ａを突設したので、部品が１つで済み、パネル８を凹溝２に差し込んで容易にフレーム１に取付けることができ、作業時間を短縮できる。フレーム１への取着に際しビス等が不要である為、迅速に作業を行える。安価に製造でき、コストを低減できる。
【００１８】
また、本発明に係るパネル取付構造体は、断面Ｕ字状のパネル差込用凹溝２を形成する一対の第１挟持片部１１・第２挟持片部１２と底壁部１３とを有し、第１挟持片部１１の先端縁を第２挟持片部１２から離れる方向に直角に折曲げた長脚片部４を連設し、かつ、長脚片部４と平行状として底壁部１３を第１挟持片部１１の基端縁を越えて延設した短脚片部６を形成し、長脚片部４と短脚片部６の先端に係止凸部４ａ，６ａを突設したパネル縁材３と、パネル縁材３の凹溝２に差込んで取着されるパネル８と、横断面に於て、隣り合う２辺１Ａ，１Ａの中央部に凹設された蟻溝９，９を有するフレーム１と、を具備し、フレーム１の蟻溝９，９の開口内端部９ａ，９ａに、パネル縁材３の短脚片部６と長脚片部４を、短脚片部６と長脚片部４の弾性変形によって押込み状に係止したので、フレーム１の組立てを先に行ってから、パネル８を正面側又は裏面側から簡単に取着できる。フレーム１の蟻溝９に係止片部２１を差し込んで連結するフレーム連結具２０を用いた場合であっても、パネル８の角部を加工することなく、容易に取着できる。
【００１９】
また、本発明に係る構造物組立方法は、横断面視で隣り合う２辺１Ａ，１Ａの中央部に凹設された蟻溝９，９を有する型材から成るフレーム１を組立てて構造枠体１０を構築し、その後、パネル８の４辺に取着されるパネル縁材３，３，３，３の内の１本を、まず、構造枠体１０の開口部の１辺を成すフレーム１の蟻溝９に係止状に取着し、次に、パネル８の３辺に予めパネル縁材３，３，３を取着したパネルユニット１８を、フレーム１の蟻溝９に取着したパネル縁材３のパネル差込用凹溝２に差込み、パネルユニット１８の３辺のパネル縁材３，３，３を、構造枠体１０の開口部の残り３辺のフレーム１の蟻溝９に係止状に取着するので、フレーム１の組立てを先に行ってから、パネル８を正面側又は裏面側から簡単に取着できる。フレーム１の蟻溝９に係止片部２１を差し込んで連結するフレーム連結具２０を用いた場合であっても、パネル８の角部を加工することなく、容易に取着できる。
【符号の説明】
【００２０】
１  フレーム
１Ａ  辺
２  パネル差込用凹溝
３  パネル縁材
４  長脚片部
４ａ  係止凸部
６  短脚片部
６ａ  係止凸部
８  パネル
９  蟻溝
９ａ  開口内端部
１０  構造枠体
１１  第１挟持片部
１２  第２挟持片部
１３  底壁部
１８  パネルユニット
【図１】
0006008918.tif 000002
【図２】
0006008918.tif 000003
【図３】
0006008918.tif 000004
【図４】
0006008918.tif 000005
【図５】
0006008918.tif 000006
【図６】
0006008918.tif 000007
【図７】
0006008918.tif 000008
【図８】
0006008918.tif 000009
【図９】
0006008918.tif 000010
【図１０】
0006008918.tif 000011
【図１１】
0006008918.tif 000012
【図１２】
0006008918.tif 000013